(57)【特許請求の範囲】
【請求項１】
画像形成装置の帯電器に使用される電源装置であって、
定電流交流出力に定電圧直流出力を重畳して帯電器に供給する帯電用電源と、
前記帯電用電源の負荷異常を検知する検知回路と、
前記帯電器に供給される交流出力が定電圧となるように前記帯電用電源を制御する制御回路と、
前記帯電用電源の入力を遮断する入力遮断回路とを有し、
前記検知回路により負荷異常を検知した場合に、前記制御回路及び前記入力遮断回路により前記帯電器に供給される交流出力が定電圧間欠出力となるように制御することを特徴とする電源装置。
【請求項２】
前記定電流交流出力の周波数を決定する入力信号の周波数に応じて、前記入力遮断回路の入り切りする周期を選択する選択手段を有することを特徴とする請求項１記載の電源装置。
【請求項３】
前記入力遮断回路は、前記定電流交流出力の検出電圧に基づいて、前記帯電用電源の入力を入り切りすることを特徴とする請求項１又は２記載の電源装置。
【請求項４】
前記入力遮断回路は、複数の帯電用電源に共通に設けられていることを特徴とする請求項１から３のいずれか一項記載の電源装置。
【請求項５】
前記定電圧直流出力の電流を検出する検出回路と、
前記検出回路の検出電流に基づいて、前記入力遮断回路の入り切りする周期を制御する制御手段を有することを特徴とする請求項１から４のいずれか一項記載の電源装置。
【請求項６】
画像形成装置の帯電器に使用される電源装置であって、
定電流交流出力に定電圧直流出力を重畳して帯電器に供給する帯電用電源と、
前記帯電用電源の負荷異常を検知する検知回路と、
前記帯電器に供給される交流出力が定電圧となるように前記帯電用電源を制御する制御回路と、
前記帯電用電源の制御信号を遮断する制御信号遮断回路とを有し、
前記検知回路により負荷異常を検知した場合に、前記制御回路及び前記制御信号遮断回路により前記帯電器に供給される交流出力が定電圧間欠出力となるように制御することを特徴とする電源装置。
【請求項７】
前記制御信号の周波数に応じて、前記制御信号遮断回路の入り切りする周期を選択する選択手段を有することを特徴とする請求項６記載の電源装置。
【請求項８】
前記制御信号遮断回路は、前記定電流交流出力の検出電圧に基づいて、前記制御信号を入り切りすることを特徴とする請求項６又は７記載の電源装置。
【請求項９】
前記制御信号遮断回路は、複数の帯電用電源に共通に設けられていることを特徴とする請求項６から８のいずれか一項記載の電源装置。
【請求項１０】
前記定電圧直流出力の電流を検出する検出回路と、
前記検出回路の検出電流に基づいて、前記制御信号遮断回路の入り切りする周期を制御する制御手段を有することを特徴とする請求項６から９のいずれか一項記載の電源装置。
【請求項１１】
請求項１から１０のいずれか一項に記載の電源装置と、
前記電源装置から供給される電源によって帯電され、像担持体を帯電する帯電装置とを有することを特徴とする画像形成装置。
【発明の詳細な説明】
【技術分野】
【０００１】
本発明は、定電流交流出力を有する帯電装置用の電源装置、及びこの電源装置を備えた画像形成装置に関する。
【背景技術】
【０００２】
電子写真プロセスを応用した複写機やプリンタなどの画像形成装置は、所定の軸回りに回転する感光体ドラムの周面に帯電ローラを介してバイアス電圧を印加することで同周面を一様に帯電させるようになっている。この一様に帯電させた感光体ドラムの周面に画像情報に基づくレーザ光線を照射することで、レーザ光線照射部分の帯電状態が解消して静電潜像が形成される。この静電潜像に向けてトナーを供給することによってトナー像を形成させるようになっている。
【０００３】
この帯電ローラを用いた接触帯電方式においては、直流電圧に交流電流を重畳したバイアスを印加する方式がとられている。直流電圧の印加だけでは、感光体上の抵抗の低いところにだけ電流が流れるため均一に帯電することができない。また、感光体表面が局所的によごれると、その部分だけ帯電しなくなるという問題が生じる。そのため、図１に示すように直流電圧に交流電流を重畳したバイアスを帯電ローラに印加し、感光体表面を一様に帯電している。
【０００４】
このような帯電制御方式において、感光体の帯電に用いられる帯電ローラは、ステンレス等の金属からなる芯金の表面に、導電性の合成ゴム等からなる導電層を被覆して構成される。このため、周囲の環境によって帯電ローラのインピーダンスに変換が生じる。例えば、寒冷地では、合成ゴムが縮みインピーダンスが高くなり、高温な環境で使用すると合成ゴムが緩みインピーダンスが低くなる。
上述したように交流電流は定電流制御を行っているので、帯電ローラのインピーダンスが高くなると、帯電ローラに印加する電圧も高く設定しなければならず、電源装置の消費電力も増加する。
【０００５】
特許文献１では、負荷異常時に、負荷に供給する電力をシャットダウンする技術を開示している。また、特許文献２では、直流出力に交流出力を重畳して高圧電源装置において、交流出力の過電流時に、高圧電源装置の出力を間欠的に出力させている。
【０００６】
【特許文献１】特開平９−０１６０３３号公報
【特許文献２】特開２０００−３３０４３１号公報
【発明の開示】
【発明が解決しようとする課題】
【０００７】
本発明は、帯電装置の負荷異常時の消費電力の削減が可能な電源装置を提供することを目的とする。
【課題を解決するための手段】
【０００８】
かかる目的を達成するために請求項１記載の発明は、画像形成装置の帯電器に使用される電源装置であって、定電流交流出力に定電圧直流出力を重畳して帯電器に供給する帯電用電源と、前記帯電用電源の負荷異常を検知する検知回路と、前記帯電器に供給される交流出力が定電圧となるように前記帯電用電源を制御する制御回路と、前記帯電用電源の入力を遮断する入力遮断回路とを有し、前記検知回路により負荷異常を検知した場合に、前記制御回路及び前記入力遮断回路により前記帯電器に供給される交流出力が定電圧間欠出力となるように制御する、構成を採用する。
【０００９】
請求項２記載の発明は、請求項１記載の発明において、前記定電流交流出力の周波数を決定する入力信号の周波数に応じて、前記入力遮断回路の入り切りする周期を選択する選択手段を有する。
【００１０】
請求項３記載の発明は、請求項１又は２記載の発明において、前記入力遮断回路は、前記定電流交流出力の検出電圧に基づいて、前記帯電用電源の入力を入り切りする。
【００１１】
請求項４記載の発明は、請求項１から３のいずれか一項記載の発明において、前記入力遮断回路は、複数の帯電用電源に共通に設けられている。
【００１２】
請求項５記載の発明は、請求項１から４のいずれか一項記載の発明において、前記定電圧直流出力の電流を検出する検出回路と、前記検出回路の検出電流に基づいて、前記入力遮断回路の入り切りする周期を制御する制御手段を有する。
【００１３】
請求項６記載の発明は、画像形成装置の帯電器に使用される電源装置であって、定電流交流出力に定電圧直流出力を重畳して帯電器に供給する帯電用電源と、前記帯電用電源の負荷異常を検知する検知回路と、前記帯電器に供給される交流出力が定電圧となるように前記帯電用電源を制御する制御回路と、前記帯電用電源の制御信号を遮断する制御信号遮断回路とを有し、前記検知回路により負荷異常を検知した場合に、前記制御回路及び前記制御信号遮断回路により前記帯電器に供給される交流出力が定電圧間欠出力となるように制御する、構成を採用する。
【００１４】
請求項７記載の発明は、請求項６記載の発明において、前記制御信号の周波数に応じて、前記制御信号遮断回路の入り切りする周期を選択する選択手段を有する。
【００１５】
請求項８記載の発明は、請求項６又は７記載の発明において、前記制御信号遮断回路は、前記定電流交流出力の検出電圧に基づいて、前記制御信号を入り切りする。
【００１６】
請求項９記載の発明は、請求項６から８のいずれか一項記載の発明において、前記制御信号遮断回路は、複数の帯電用電源に共通に設けられている。
【００１７】
請求項１０記載の発明は、請求項３、４、６、８のいずれか一項記載の発明において、前記定電圧直流出力の電流を検出する検出回路と、前記検出回路の検出電流に基づいて、前記制御信号遮断回路の入り切りする周期を制御する制御手段を有する。
【００１８】
請求項１１記載の発明は、請求項１から１０のいずれか一項に記載の電源装置と、前記電源装置から供給される電源によって帯電され、像担持体を帯電する帯電装置とを有する、構成を採用する。
【発明の効果】
【００１９】
請求項１、６記載の発明は、負荷異常が生じると、交流出力を定電流出力から定電圧制御に変更することで、負荷異常時の電源の消費電力を本構成を有していない場合と比較して削減することができる。
【００２０】
請求項２、７記載の発明によれば、負荷異常時を通知する画像をプロセスプピードが変更になってもほぼ同じ画像で通知することができる。
【００２１】
請求項３、８記載の発明によれば、定電流交流出力の異常を検出して、定電圧間欠制御に移行させることができる。
【００２２】
請求項４、９記載の発明によれば、入力遮断回路を複数設ける必要がなくなり、装置構成を簡略化し、装置費用を低減することができる。
【００２３】
請求項５、１０記載の発明によれば、定電圧直流出力に基づいて、定電圧間欠制御を行うことができる。
【発明を実施するための最良の形態】
【００２４】
添付図面を参照しながら本発明の好適な実施例を説明する。
【実施例１】
【００２５】
図２に画像形成装置用の電源装置１の構成を示す。本実施例の電源装置１は、トランス２５を有する交流出力回路部と、トランス６０を有する直流出力回路部とを有している。
交流出力回路部には、トランス２５の他に、スイッチング用のトランジスタＴｒ２、Ｔｒ３、正弦波生成回路２０、定電流制御回路２１、Ｄ／Ａ変換・ＰＷＭ変換回路２２、定電圧制御回路２３、電流検出回路３０、電圧検出回路４０、コンパレータ４１等を含む。
また、直流出力回路部には、トランス６０の他に、スイッチング用のトランジスタＴｒ４、駆動回路６１、定電圧制御回路６２、直流電圧検出回路６５、Ｄ／Ａ変換・ＰＷＭ変換回路７０等を含む。
電源装置１は、この他に入力遮断回路１０と、入力オン・オフ回路５０と、周波数判定回路５５とを具備している。
【００２６】
正弦波生成回路２０は、外部から入力されるクロック信号と、定電流制御回路２１又は定電圧制御回路２３からの制御信号とを入力して、トランジスタＴｒ２とトランジスタＴｒ３とをスイッチングする正弦波信号を生成する。
正弦波生成回路２０に外部から入力されるクロック信号は、帯電ローラに印加される交流出力の周波数を設定する信号である。正弦波生成回路２０は、このクロック信号に基づいて、トランジスタＴｒ２、Ｔｒ３のベースに出力する正弦波信号の周波数を決定する。
また、正弦波生成回路２０は、定電流制御回路２１又は定電圧制御回路２３の制御に従って、生成する正弦波信号のＶｐｐ（波高値）を調整する。定電流制御回路２１からの制御を受ける場合には、帯電ローラに印加する交流電流の実効値が一定となるように正弦波信号のＶｐｐが調整される。また、定電圧制御回路２３からの制御を受ける場合には、帯電ローラに印加する交流電圧の実効値が一定となるように正弦波信号のＶｐｐが調整される。
【００２７】
Ｄ／Ａ変換・ＰＷＭ変換回路２２には、帯電ローラに印加する交流電流のオンとオフの設定と、定電流制御時の交流電流の電流値とを設定するＡＣオンオフ可変信号が外部から入力される。
Ｄ／Ａ変換・ＰＷＭ変換回路２２は、まずデジタルのＡＣオンオフ可変信号を、アナログ信号に変換し、変換したアナログ信号のデューティがデジタル信号のデューティに一致するようにＰＷＭ（Pulse-Width Modulation）変換を行う。
変換されたアナログのＡＣオンオフ可変信号は、コンパレータ２４に出力される。
【００２８】
電流検出回路３０は、トランス２５の二次巻線側に接続しており、ダイオードＤ１とコンデンサＣ４とを有する半波整流回路と、抵抗Ｒ４，Ｒ５，Ｒ６とを有する電流・電圧変換回路とを有している。
ダイオードＤ１とコンデンサＣ４とからなる半波整流回路で、トランス２５の二次巻線側に表れる交流電流の正側の値を検出し、電流・電圧変換回路で検出した交流電流の正側の値を電圧値に変換している（以下、この値を電圧変換値と呼ぶ）。
電流検出回路３０で検出した電圧変換値は、コンパレータ２４を介して定電流制御回路２１に出力される。
【００２９】
コンパレータ２４は、Ｄ／Ａ変換・ＰＷＭ変換回路２２から出力されるアナログのＡＣオンオフ可変信号のパルス幅に基づいて、しきい値電圧を設定する。しきい値電圧を設定されたコンパレータ２４は、このしきい値電圧と、電流検出回路３０から出力される電圧変換値とを比較する。電流検出回路３０からの電圧変換値がしきい値電圧よりも小さいときには、コンパレータ２４は電流検出回路３０の電圧変換値を定電流制御回路２１に出力する。また、電流検出回路３０の電圧変換値がしきい値電圧以上となると、コンパレータ２４は電流検出回路３０の電圧変換値を定電流制御回路２１には出力しない。
また、コンパレータ２４には、定電圧制御回路２３の出力がダイオードを介して接続されている。定電圧制御回路２３から出力される制御信号の電圧は、電流検出回路３０から出力される電圧変換値の電圧よりも高いので、定電圧制御回路２３から制御信号が出力されるときには、コンパレータ２４にはこの制御信号が入力される。
コンパレータ２４は、定電圧制御回路２３から出力された制御信号を入力すると、Ｄ／Ａ変換・ＰＷＭ変換回路２２から出力されるＡＣオンオフ可変信号によらず、制御信号を常に定電流制御回路２１に出力する。
定電流制御回路２１は、電流検出回路３０の検出した電圧変換値をもとに、帯電ローラに印加する交流電流の実効値が一定となるように正弦波生成回路２０で生成される正弦波信号のＶｐｐを制御する。
また、定電流制御回路２１は、定電圧制御回路２３からの制御信号を入力すると、正弦波生成回路２０で生成される正弦波信号のＶｐｐを最大値に設定する。
【００３０】
電圧検出回路４０は、トランス２５の二次巻線側に接続しており、コンデンサＣ５とＣ６とを有する交流電圧分圧回路と、ダイオードＤ２及びＤ３と、コンデンサＣ７とを有する半波整流回路とを有している。
トランス２５の二次巻線側に接続したコンデンサＣ５とＣ６で交流電圧を分圧し、分圧した低電圧の交流電圧を半波整流回路で半波整流して、正側の交流電圧値を取得する。
電圧検出回路４０の検出電圧は、コンパレータ４１に出力される。コンパレータ４１は、電圧検出回路４０の検出電圧と基準電圧とを比較し、検出電圧が基準電圧よりも高くなると、定電圧制御回路２３と入力オン・オフ回路５０に所定レベルの信号を出力する。
定電圧制御回路２３は、コンパレータ４１から出力される所定レベルの信号（電圧検出回路４０の検出電圧値を表す）をもとに、帯電ローラに印加する交流電圧の実効値が一定となるように正弦波生成回路２０で生成される正弦波信号のＶｐｐを制御する。定電圧制御時には、正弦波信号のＶｐｐは、最大値に設定される。
【００３１】
入力オン・オフ回路５０は、図２に示すように抵抗Ｒ７及びＲ８と、電解コンデンサＣ８と、コンパレータ５１と、電圧源Ｖａ，Ｖｂとを有している。電圧源ＶａはＶｂよりも高い値に設定されている（Ｖａ＞Ｖｂ）。
入力オン・オフ回路５０は、コンパレータ４１から出力される所定レベルの信号を電解コンデンサＣ８に蓄え、電解コンデンサＣ８の電圧が電圧源（Ｖａ又はＶｂ）よりも高くなると、入力遮断回路１０のオンとオフとを切り替える信号を出力する。
【００３２】
周波数判定回路５５は、クロック信号を入力して、クロック信号の周波数が基準周波数、例えば１０００Ｈｚよりも高いか否かを判定する。クロック信号の周波数が基準周波数よりも高い場合、周波数判定回路５５は入力オン・オフ回路５０のスイッチ５２を電圧Ｖａ側に切り替える信号を出力する。また、クロック信号の周波数が基準周波数よりも低い場合、周波数判定回路５５は入力オン・オフ回路５０のスイッチ５２を電圧Ｖｂ側に切り替える信号を出力する。
クロック信号の周波数が基準周波数、例えば１０００Ｈｚよりも高い場合には、入力遮断回路１０が２４Ｖ電源のオンとオフとを切り替える時間を短く設定するために、電圧の低いＶｂがスイッチ５２に接続される。また、クロック信号の周波数が基準周波数よりも低い場合には、入力遮断回路１０のオン、オフ切り替え時間を長く設定するために、電圧の高いＶａがスイッチ５２に接続される。
【００３３】
コンパレータ５１は、電解コンデンサＣ８の電圧が基準電圧として入力するＶａ又はＶｂよりも高くなると、入力遮断回路１０のオンとオフとを切り替える信号を出力する。このため、電圧源（Ｖａ又はＶｂ）を変更することで、入力遮断回路１０のオンオフ周期を変更することができる。
【００３４】
入力遮断回路１０は、トランジスタＴｒ２への２４Ｖ電源の供給をオン、オフする回路であり、２４Ｖ電源に接続したトランジスタＴｒ１と、トランジスタＴｒ１のエミッタ・ベース間に接続された電解コンデンサＣ１及び抵抗Ｒ１と、トランジスタＴｒ１のベースに直列に接続された抵抗Ｒ２，Ｒ３とを有している。抵抗Ｒ３の、Ｒ２との接続点とは反対側の端部は、接地している。また、抵抗Ｒ２とＲ３との接続点に、入力オン・オフ回路５０の出力が接続される。
入力遮断回路１０は、入力オン・オフ回路５０の出力によって、２４Ｖ電源をスイッチングするトランジスタＴｒ１のオンとオフとを切り替える。
【００３５】
直流出力回路部は、交流電流を発生させるトランス２５の二次巻線側の低圧側に接続されている。駆動回路６１によってトランジスタＴｒ４のベースに電圧を供給することで、トランス２５の二次側巻線の高圧出力側に、交流電流に直流電圧が重畳されたバイアスが発生する。
【００３６】
また、直流出力回路部には、直流電圧検出回路６５と、定電圧制御回路６２と、Ｄ／Ａ変換・ＰＷＭ変換回路７０とが設けられている。
直流電圧検出回路６５は、抵抗Ｒ９、Ｒ１０とコンデンサＣ９とが直列に接続されている。直流電圧検出回路６５は、トランス２５の二次側巻線に発生する直流電圧を検出する。
Ｄ／Ａ変換・ＰＷＭ変換回路７０には、直流電圧のオンタイミングとオフタイミングとを設定するＤＣオンオフ可変信号が外部から入力される。Ｄ／Ａ変換・ＰＷＭ変換回路７０は、まず、デジタルのＤＣオンオフ可変信号をアナログ信号に変換し、変換したアナログ信号のデューティがデジタル信号のデューティに一致するようにＰＷＭ変換を行う。
変換されたアナログのＤＣオンオフ可変信号は、コンパレータ６３に出力される。
【００３７】
コンパレータ６３は、Ｄ／Ａ変換・ＰＷＭ変換回路７０から出力されるアナログのＤＣオンオフ可変信号のパルス幅に基づいて、しきい値電圧を設定する。しきい値電圧を設定されたコンパレータ６３は、このしきい値電圧と、直流電圧検出回路６５の検出電圧とを比較する。直流電圧検出回路６５の検出電圧がしきい値電圧よりも小さいときには、コンパレータ６３は直流電圧検出回路６５の検出電圧を定電圧制御回路６２に出力する。また、直流電圧検出回路６５の検出電圧がしきい値電圧以上となると、コンパレータ６３は直流電圧検出回路６５の検出電圧を定電圧制御回路６２には出力しない。
【００３８】
定電圧制御回路６２は、直流電圧検出回路６５の検出電圧に基づいて駆動回路６１を制御し、トランス６０の二次巻線側に発生する直流電圧が一定となるように制御を行う。
【００３９】
図３には、電源装置１の全体構成と、電源線の配線構造を示す。図２に示す電源装置１は、Ｙ（イエロー）、Ｍ（マゼンタ）、Ｃ（シアン）、Ｋ（ブラック）の各画像形成色ごとに設けられている。各色ごとの電源装置１は、交流出力を生成するトランス等のＡＣ駆動回路と、ＡＣ駆動回路を制御するＡＣ制御回路部と、直流出力を生成するトランス等のＤＣ駆動回路と、ＤＣ駆動回路を制御するＤＣ制御回路部とを有している。ＡＣ制御回路部が図２に示す正弦波生成回路２０、定電流制御回路２１、定電圧制御回路２３、Ｄ／Ａ変換・ＰＷＭ変換回路２２等に該当する。
ＤＣ制御回路部が図２に示す定電圧制御回路６２、駆動回路６１等に該当する。
電源ラインは、各色ごとの駆動回路部に２４Ｖ電源を供給する駆動回路部用２４Ｖラインと、各色ごとの制御回路部に２４Ｖ電源を供給する制御回路部用２４Ｖ電源ラインとからなる。
【００４０】
本実施例の電源装置１は、電圧検出回路４０でトランス２５の交流出力に異常を検出し、負荷に異常があることを検出すると、トランス２５の交流出力を定電流制御回路２１による定電流制御から、定電圧制御回路２３による定電圧制御に切り替える。
また、電圧検出回路４０でトランス２５の交流出力に異常があることを検出すると、入力遮断回路１０でトランジスタＴｒ２に供給される２４Ｖ電源を入り切りさせる。トランス２５の交流出力を定電圧間欠制御とすることで、形成される画像に画質不良を生じさせる。
また、入力遮断回路１０が２４Ｖ電源を入り切りする周期（オン時間とオフ時間の設定）は、クロック信号の周波数に応じて変更可能な構成とする。クロック信号の周波数が基準周波数（例えば、１０００Ｈｚ）よりも高い場合には、オン時間とオフ時間とをそれぞれ短く設定して、トランス２５の一次巻線側に交流出力が供給される回数を増やす。
外部入力されるクロック信号は、画像形成装置のプロセススピードを決定する信号であるが、帯電制御では、画像形成装置のプロセススピードに比例して、帯電ローラに供給する交流出力を増加させなければならない。放電現象を利用した帯電制御では、帯電ローラに一定の交流電流を流す必要があるので、プロセススピードが増加すると、帯電ローラに交流を流す回数、すなわち周波数を上げなければならない。
例えば、クロック周波数が１００ｍｍ／ｓｅｃ（８００Ｈｚ）の場合には、入力オン・オフ回路５０のオン時間を０．２秒とし、オフ時間を２秒とする。また、クロック周波数が２００ｍｍ／ｓｅｃ（１６００Ｈｚ）の場合には、入力オン・オフ回路５０のオン時間を０．１秒とし、オフ時間を１秒とする。
入力オン・オフ回路５０をこのような設定とすることで、負荷異常時に形成される画像を、プロセススピードが異なってもほぼ一定で出力する。
【００４１】
図４を参照しながら、図２に示す電源装置１の動作タイミングについて説明する。
２４Ｖ電源ラインから２４Ｖ電源を入力すると、トランジスタＴｒ１は正常時にはオンであるので図２に示すＢ点の電圧レベルも２４Ｖとなり、２４Ｖ電源がトランス２５のスイッチング用のトランジスタＴｒ２、Ｔｒ３に供給される。
クロック信号を外部入力した正弦波生成回路２０は、定電流制御回路２１の制御に従って、トランジスタＴｒ２、Ｔｒ３のベースに供給する正弦波信号を生成する。なお、正弦波信号の周波数は、クロック信号の周波数に基づき生成される。また、定電流制御回路２１は、ＡＣオンオフ可変信号が外部入力され、コンパレータ２４から電流検出回路３０の検出値が出力されることで動作を開始する。
正弦波生成回路２０によってトランジスタＴｒ２，Ｔｒ３がオンすると、トランス２５の二次巻線側に交流出力が生成され、直流出力回路部で生成された直流出力に重畳されて帯電ローラに供給される。
【００４２】
また、負荷に異常が生じ、帯電ローラと電源装置１との接点が開放状態になると、電圧検出回路４０でトランス２５の交流出力の異常を検出する。電圧検出回路４０が負荷異常を検出すると、図４に示すように、図２に示すＣ点の電圧がハイレベルになる。
入力オン・オフ回路５０は、コンパレータ４１から出力される所定レベルの信号を電解コンデンサＣ８に蓄える。電解コンデンサＣ８の電圧が電圧源（Ｖａ又はＶｂ）よりも高くなると、入力オン・オフ回路５０は、入力遮断回路１０のオンとオフとを切り替える信号を出力する（図４に示すＤ点の電圧レベル参照）。入力オン・オフ回路５０によって入力遮断回路１０のトランジスタＴｒ１がオン、オフされることで、図４に示すように電源装置１の出力もオンとオフとを周期的に繰り返す。これによって画像形成装置によって形成される画像に画質不良が生じさせる。
【実施例２】
【００４３】
添付図面を参照しながら本発明の第２実施例について説明する。
本実施例は多色画像形成装置用の電源装置に用いて好適な実施例である。本実施例は、Ｃ（シアン）、Ｍ（マゼンタ）、Ｙ（イエロー）、Ｋ（ブラック）用の電源装置で、入力遮断回路１０と、入力オン・オフ回路５０とを共通化している。図５に第１色（Ｃ，Ｍ，Ｙ，Ｋのいずれか）用の電源装置１の構成を示し、図６には、第２色〜第４色用の電源装置の構成を示す。図５に示す第１色用の電源装置には、入力遮断回路１０と入力オン・オフ回路５０とが設けられているが、その他の第２〜第４色用の電源装置には、入力遮断回路１０と入力オン・オフ回路５０は設けられていない。
２４Ｖ電源ラインのうち、駆動回路部用２４Ｖ電源ラインは、第１色の電源装置１のトランス２５をオン・オフするトランジスタＴｒ２に接続すると共に、他色（第２〜第４色）用の電源装置に接続されている。また、制御回路部用２４Ｖ電源ラインと、クロック信号も他色（第２〜第４色）用の電源装置に接続されている。
第１色用の電源装置に設けられた図５に示す入力遮断回路１０を、入力オン・オフ回路５０によってオンオフすることで、他色の電源装置への電源供給もこれに同期してオンとオフとを繰り返す。
【実施例３】
【００４４】
添付図面を参照しながら本発明の第３実施例について説明する。
上述した第１実施例では、装置に異常が生じた時にトランス２５への電源供給を間欠動作にするように制御していた。
本実施例は、図７に示すように入力遮断回路１０でＡＣオンオフ可変信号をオンオフさせる構成とした。
ＡＣオンオフ可変信号の信号線を入力遮断回路１０のトランジスタＴｒ１に接続して、Ｄ／Ａ変換・ＰＷＭ変換器２２に出力されるＡＣオンオフ可変信号をオン、オフさせる。
また、図８に示すように入力遮断回路１０でクロック信号をオンオフさせるように構成することもできる。
クロック信号の信号線を入力遮断回路１０のトランジスタＴｒ１に接続して、正弦波生成回路２０に出力されるクロック信号をオン、オフさせる。
【実施例４】
【００４５】
添付図面を参照しながら本発明の第４実施例について説明する。
本実施例は、図９に示すように直流出力回路部に、トランス６０の２次巻線側の直流電流を検出する電流検出回路１００を設けて、電流検出回路１００の検出電流値をＭＰＵ（マイクロプロセッサユニット）３００に出力する。ＭＰＵ３００は、電流検出回路１００の検出電流値に基づいて、２４Ｖ電源ラインの２４Ｖ電源をオン、オフさせる。２４Ｖ電源をオンオフすることで、交流電流の出力も実施例１のようにオンオフ制御される。
【実施例５】
【００４６】
添付図面を参照しながら本発明の第５実施例を説明する。
本実施例は図１０に示すように入力オン・オフ回路５０に代えてタイマＩＣ２００を設けている。
タイマＩＣ２００は、周波数判定回路５５の判定結果に応じて、入力遮断回路１０のオン時間とオフ時間とを変更する。
図１１にはタイマＩＣ２００の接続構成の一例を示す。図１１に示す抵抗ＲＡを１５０（ｋΩ）、抵抗ＲＢを３．３（ｋΩ）、コンデンサを４７（μＦ）とすことで、オン時間を約４．９９ｓｅｃとし、オフ時間を約０．１０ｓｅｃに設定することができる。また、図１１に示す抵抗ＲＡを３００（ｋΩ）、抵抗ＲＢを３．３（ｋΩ）、コンデンサを４７（μＦ）とすことで、オン時間を約９．８７ｓｅｃとし、オフ時間を約０．１０ｓｅｃに設定することができる。
【００４７】
上述した実施例は本発明の好適な実施の例である。但し、これに限定されるものでなく、本発明の要旨を逸脱しない範囲内において種々変形実施可能である。
【図面の簡単な説明】
【００４８】
【図１】帯電ローラと、この帯電ローラを帯電する電源の接続構成を示す図である。
【図２】実施例１の電源装置の構成を示す図である。
【図３】電源装置の全体構成と、電源線の配線構造を示す。
【図４】電源装置の動作タイミングを示すタイミングチャートである。
【図５】実施例２の電源装置の構成を示す図であって、第１色用の電源装置の構成を示す図である。
【図６】実施例２の電源装置の構成を示す図であって、第２〜４色用の電源装置の構成を示す図である。
【図７】実施例３の電源装置の構成を示す図であり、ＡＣオンオフ可変信号を入力遮断回路でオンオフする構成を示す図である。
【図８】実施例３の電源装置の構成を示す図であり、クロック信号を入力遮断回路でオンオフする構成を示す図である。
【図９】実施例４の電源装置の構成を示す図であり、直流出力をモニタする構成を示す図である。
【図１０】実施例５の電源装置の構成を示す図であり、入力遮断回路のオンオフをタイマＩＣによって設定する構成を示す図である。
【図１１】タイマＩＣの接続構成を示す図である。
【符号の説明】
【００４９】
１  電源装置（帯電用電源）
１０  入力遮断回路（入力遮断回路、制御信号遮断回路）
２０  正弦波生成回路
２１  定電流制御回路
２２  Ｄ／Ａ変換・ＰＷＭ変換回路
２３  定電圧制御回路（制御回路）
２５、６０  トランス
３０  電流検出回路
４０  電圧検出回路（検知回路）
５０  入力オン・オフ回路（選択回路）
５５  周波数判定回路（選択回路）
６１  駆動回路
６２  定電圧制御回路
６５  電圧検出回路
１００  電流検出回路
２００  タイマＩＣ
３００  ＭＰＵ
【図１】
0005045361.tif 000002
【図２】
0005045361.tif 000003
【図３】
0005045361.tif 000004
【図４】
0005045361.tif 000005
【図５】
0005045361.tif 000006
【図６】
0005045361.tif 000007
【図７】
0005045361.tif 000008
【図８】
0005045361.tif 000009
【図９】
0005045361.tif 000010
【図１０】
0005045361.tif 000011
【図１１】
0005045361.tif 000012